(57)【要約】【課題】球通路をセンター役物に備えた弾球遊技機において、球通路から排出される遊技球が遊技に悪影響を及ぼすことを回避することができる弾球遊技機を提供する。【解決手段】弾球遊技機１で、遊技板６Ｋに設けられた枠状のセンター役物１００に、転動領域６Ｆを転動する遊技球Ｐが入球可能なゲート用球入口２０１とゲート用球出口２０２を有し、ゲート用球出口２０２がセンター役物１００の側方に開口し、通過する遊技球Ｐをセンター役物１００の外側の転動領域６Ｆに排出するように構成されたゲート用球通路２００を備える。そして、ゲート用球通路２００には、通過する遊技球Ｐを減速させる衝突壁部２１２と第一底面部２１３を備える。【選択図】図７
2015039566.tif 000002
【特許請求の範囲】
【請求項１】
遊技者側の面に遊技球が転動可能な転動領域を有する遊技板と、
前記遊技板の遊技者側の面に設けられた枠状のセンター役物と、
前記センター役物に設けられ、前記転動領域を転動する遊技球が入球可能な球入口を有する球通路とを備え、
前記球通路は、
前記センター役物の側方に開口し、前記球通路を通過する遊技球を前記センター役物の外側の前記転動領域に排出する球出口と、
前記球通路を通過する遊技球を減速させる減速手段とを備えたことを特徴とする弾球遊技機。
【請求項２】
前記球通路は、前記球通路に入球した遊技球が通過可能な通過ゲートを備え、
前記減速手段は、前記球通路の前記通過ゲートよりも下流に設けられることを特徴とする請求項１に記載の弾球遊技機。
【発明の詳細な説明】
【技術分野】
【０００１】
本発明は、弾球遊技機に関し、特に、球通路をセンター役物に備えた弾球遊技機に関するものである。
【背景技術】
【０００２】
従来、パチンコ遊技機等の弾球遊技機の中には、下側の球通路と上側の球通路からなる２つの球通路をセンター役物に設けたものがある（例えば、特許文献１参照。）。このような弾球遊技機では、例えば、下側の球通路として所謂ワープ通路を備えると共に、上側の球通路として遊技球が通過可能な通過ゲートを内部に有するゲート用球通路を備えるものが挙げられる。なお、ここでの通過ゲートは、所謂普通図柄遊技の当り抽選の契機となるものである。
【０００３】
このようなゲート用球通路では、例えば、センター役物の左側部の外周面に球入口と球出口が設けられ、転動領域に打ち込まれた遊技球の一部が球入口を介して通路内に入球し、ゲート用球通路内の通過ゲートを通過した後、球出口を介して転動領域に戻されるようになっている。
【先行技術文献】
【特許文献】
【０００４】
【特許文献１】特開２００８−２９５４９４号公報
【発明の概要】
【発明が解決しようとする課題】
【０００５】
前記したような従来の弾球遊技機において、ゲート用球通路の球出口は、ワープ通路を避けて設ける必要があるため、ワープ通路の球入口よりも上側に設けられる。一方、ワープ通路の球入口は、多くの場合、センター役物の左側部の略中央に設けられる。このため、ゲート用球通路の球出口は、センター役物の左側部の略中央又はそれよりも若干上側に設けられ、センター役物の左側に向けて開口する。従って、転動領域からゲート用球通路に入球した遊技球は、センター役物の左側、すなわち、水平方向に排出されて転動領域に戻されることになる。
【０００６】
しかしながら、センター役物の左側の転動領域に配置される障害釘等の障害部材は、通常、遊技球が上方から流下することを前提にレイアウト設計される。このため、ゲート用球通路を通過した遊技球がセンター役物から水平方向に勢いよく排出されると、遊技球が転動領域を横切ったり、転動領域を上方から流下する遊技球と激しく衝突したりするなど、設計時の想定を超えた挙動で遊技球が転動するようになり、遊技に悪影響を及ぼす虞があった。
【０００７】
本発明は、このような事情に鑑みてなされたものであり、球通路をセンター役物に備えた弾球遊技機において、球通路から排出される遊技球が遊技に悪影響を及ぼすことを回避することができる弾球遊技機を提供することを目的とする。
【課題を解決するための手段】
【０００８】
かかる課題を解決するために、本発明の請求項１に記載の発明は、遊技者側の面に遊技球が転動可能な転動領域を有する遊技板と、前記遊技板の遊技者側の面に設けられた枠状のセンター役物と、前記センター役物に設けられ、前記転動領域を転動する遊技球が入球可能な球入口を有する球通路とを備え、前記球通路は、前記センター役物の側方に開口し、前記球通路を通過する遊技球を前記センター役物の外側の前記転動領域に排出する球出口と、前記球通路を通過する遊技球を減速させる減速手段とを備えた弾球遊技機としたことを特徴とする。
【０００９】
請求項１に係る発明によれば、球通路をセンター役物に備えた弾球遊技機において、球通路から排出される遊技球が遊技に悪影響を及ぼすことを回避することができる。
【００１０】
また、本発明の請求項２に記載の発明は、請求項１に記載の弾球遊技機において、前記球通路は、前記球通路に入球した遊技球が通過可能な通過ゲートを備え、前記減速手段は、前記球通路の前記通過ゲートよりも下流に設けられることを特徴とする。
【００１１】
請求項２に係る発明によれば、減速手段が、球通路における通過ゲートよりも下流に設けられることで、より球出口に近い箇所で遊技球を減速させることができ、球通路から排出される遊技球が遊技に悪影響を及ぼすことをより効果的に回避することができる。
【図面の簡単な説明】
【００１２】
【図１】本発明の実施の形態におけるパチンコ遊技機の正面図である。
【図２】同パチンコ遊技機の遊技盤の正面図である。
【図３】同パチンコ遊技機のセンター役物の左前側からの斜視図である。
【図４】同パチンコ遊技機のセンター役物の右後側からの斜視図である。
【図５】同パチンコ遊技機のセンター役物からゲート用球通路の一部部品を取り外した状態の左前側からの斜視図である。
【図６】図５からさらにゲート用球通路の一部部品を取り外した状態の左前側からの斜視図である。
【図７】同パチンコ遊技機のゲート用球通路の裏面図である。
【図８】同パチンコ遊技機のゲート用球通路の変形例の裏面図である。
【発明を実施するための形態】
【００１３】
以下、本発明の実施の形態における弾球遊技機として、パチンコ遊技機を例にして図面を参照しながら説明する。なお、以下の説明では、パチンコ遊技機を遊技者から見て、手前側をパチンコ遊技機の前側（表面側）とし、奥側をパチンコ遊技機の後側（裏面側）として、前後方向を規定する。また、パチンコ遊技機を遊技者から見て、左手側をパチンコ遊技機の左側とし、右手側をパチンコ遊技機の右側として、左右方向を規定する。
【００１４】
まず、本実施の形態におけるパチンコ遊技機全体の概略構成について、図１及び図２を用いて説明する。図１は、本実施の形態におけるパチンコ遊技機の正面図であり、図２は、同パチンコ遊技機の遊技盤の正面図である。
【００１５】
本実施の形態におけるパチンコ遊技機１は、図１に示すように、外枠２、前枠３、窓枠４及び当該窓枠４に覆われた遊技盤６（図２）などを備えている。また、図示は省略するが、パチンコ遊技機１の裏面には、液晶ディスプレイ型の表示装置２０（図２）等の表示制御や可動演出装置（図示省略）及びＬＥＤなどの発光装置（図示省略）等による遊技演出の制御を行う表示演出サブ制御基板等のサブ制御基板、入賞時におけるパチンコ遊技機１の動作等を含むパチンコ遊技機１の主要な動作を制御する主制御基板、遊技球の払い出し動作を制御する払出基板、各基板等に電源を供給する電源基板等の各種基板が取り付けられている。
【００１６】
具体的に、外枠２は、図１に示すように、パチンコホールの台島に設置されており、前後面が開口するように四角形状に形成されている。前枠３は、外枠２の前端面に左側辺部の垂直な軸を中心に回動可能に装着されている。また、図１に示すように、この前枠３には、窓枠４と、下皿ユニット５と、遊技盤６と、が取り付けられている。
【００１７】
窓枠４は前枠３の前面に装着されている。この窓枠４は前枠３と一体となって、前記した軸を中心に回動可能となっている。窓枠４の中央には、図１に示すように、正面視で略円形状の窓枠開口部７が形成されている。この窓枠開口部７は、ガラス又はアクリル等の透明板８により被覆されている。また、窓枠開口部７の下方には、上皿ユニット９が配設されており、ここに、賞球や貸球を受けて貯留し、当該遊技球を発射装置（図示省略）に導く上皿１０が配置されている。また、窓枠開口部７の左右上方には、高音用のスピーカ１１がそれぞれ配設されている。また、窓枠４には複数の装飾ＬＥＤが配設されている。
【００１８】
下皿ユニット５は、図１に示すように、前枠３の下部であって窓枠４の下方に取り付けられている。この下皿ユニット５の中央部の左側には、上皿１０から溢れた遊技球が貯留される下皿１２が配設されている。また、下皿ユニット５の中央部の右側には、低音用のスピーカ１３が配設されている。また、下皿ユニット５の右部であって下皿１２の右方には、上皿１０に貯留された遊技球を後述する遊技領域６Ａにおける転動領域６Ｆに発射するための発射装置を遊技者が操作する操作ハンドル１４が配設されている。
【００１９】
次に、本実施の形態におけるパチンコ遊技機における遊技盤６の構成について、図２〜図６を用いて説明する。図３，図４は、本実施の形態におけるパチンコ遊技機のセンター役物の左前側からの斜視図，右後側からの斜視図である。図５は、本実施の形態におけるパチンコ遊技機のセンター役物からゲート用球通路の一部部品を取り外した状態の左前側からの斜視図であり、図６は、図５からさらにゲート用球通路の一部部品を取り外した状態の左前側からの斜視図である。
【００２０】
この遊技盤６は、図２に示すように、板状の遊技板６Ｋを備えた部材であり、この遊技板６Ｋにおける遊技者側の面である表面側に、遊技球が転動する領域である転動領域６Ｆを含む遊技領域６Ａが形成されている。遊技盤６は、窓枠４の後方であって、正面視で前枠３の下部を除く略全面に渡って配置されている。なお、遊技盤６の遊技領域６Ａは、窓枠４の窓枠開口部７の後方に配置され、前方から透明板８を介して視認可能に構成されている。
【００２１】
遊技板６Ｋには、図２に示すように、表面側に、外側ガイドレール６Ｂと内側ガイドレール６Ｃが固定されており、この外側ガイドレール６Ｂと内側ガイドレール６Ｃの間に、発射装置から発射された遊技球の発射通路６Ｄが区画形成されている。また、外側ガイドレール６Ｂ及び内側ガイドレール６Ｃで囲まれた内側領域に、遊技領域６Ａが区画形成されている。さらに、遊技領域６Ａには、遊技板６Ｋの板面より前方に突出して配置された枠状のセンター役物１００が配設されており、このセンター役物１００と外側ガイドレール６Ｂ及び内側ガイドレール６Ｃの間の領域が、遊技球が転動しながら流下する転動領域６Ｆとなっている。この転動領域６Ｆには、複数の遊技釘（図示省略）が打ち込まれており、発射通路６Ｄを通して転動領域６Ｆ内に放出された遊技球は、遊技釘に当りながら転動して転動領域６Ｆ内を流下し、最終的に後述する何れかの入賞口又は転動領域６Ｆの最下方に位置するアウト口６Ｅに入る転動遊技を行う。なお、本実施の形態の転動領域６Ｆには、センター役物１００の右側部など、遊技板６Ｋの板面とほぼ面一となっていてセンター役物１００上を遊技球が転動する部分を含んでいる。また、センター役物１００は、遊技板６Ｋの板面より突出し、かつ、枠状に形成されていることで、転動領域６Ｆを転動している遊技球が、後述する表示装置２０側に入り込むことを防止している。
【００２２】
また、図２に示すように、遊技領域６Ａにおける下部の転動領域６Ｆには、第一始動入賞口１５が配置されている。この第一始動入賞口１５は、遊技球が入賞することによって、遊技者に有利な大当り遊技状態を発生させるか否かの判定を行う起点となるものであり、上方に開口するポケット状に形成されている。
【００２３】
また、図２に示すように、第一始動入賞口１５の下方には、第二始動入賞口１６が配置されている。この第二始動入賞口１６は、開閉可能な一対の可動片１６Ａを備えており、可動片１６Ａが閉じているときには第二始動入賞口１６には遊技球が入賞しないようになっており、所定条件に基づいて可動片１６Ａが開放されると第二始動入賞口１６に遊技球が入賞可能となるものである。なお、第二始動入賞口１６は、可動片１６Ａが閉じているときには遊技球が入賞可能だが入賞し難くなっており、可動片１６Ａが開放されると遊技球が入賞し易くなるようになっていても良い。
【００２４】
また、図２に示すように、第一始動入賞口１５及び第二始動入賞口１６の右方には、第一大入賞口１７及び第二大入賞口１８が配置されている。このうち、第一大入賞口１７は、駆動装置により開閉する開閉蓋１７Ａを備えており、この開閉蓋１７Ａは、遊技状態が特定の大当り遊技状態になると可動し、その際には第一大入賞口１７が上方に向かってポケット状に幅広く開口し、多数の遊技球が同時かつ連続的に第一大入賞口１７に入賞可能となる。
【００２５】
また、図２に示すように、第二大入賞口１８は、別の駆動装置により開閉する開閉片１８Ａを備えており、この開閉片１８Ａは、遊技状態が前記した第一大入賞口１７が開口する大当り遊技状態とは別の大当り遊技状態になると可動し、その際には第二大入賞口１８が上方に向かって開口し、遊技球が連続的に第二大入賞口１８に入賞可能となる。
【００２６】
そして、第一始動入賞口１５に遊技球が入賞すると、内部に設けられたセンサ（図示省略）が遊技球を検知して検知信号を送信し、この検知信号に応じて主制御基板が特別図柄遊技の抽選を行う。この抽選が行われると、図２に示す第一特別図柄表示装置６Ｇに所定の第一特別図柄が変動表示され、所定の変動期間を経過した後に停止表示され、特別図柄の当り又は外れ（大当りか否か）の判定結果を報知するようになっている。この抽選が当り（大当り）であったときには、第一大入賞口１７又は第二大入賞口１８を開口させる大当り遊技状態となる。また、この抽選の際には、表示装置２０においても所定の画像表示を行い、抽選及びその結果を報知するようになっている。
【００２７】
また、第二始動入賞口１６に遊技球が入賞すると、内部に設けられたセンサ（図示省略）が遊技球を検知して検知信号を送信し、この検知信号に応じて主制御基板が特別図柄遊技の抽選を行う。この抽選が行われると、図２に示す第二特別図柄表示装置６Ｈに所定の第二特別図柄が変動表示され、所定の変動期間を経過した後に停止表示され、特別図柄の当り又は外れ（大当りか否か）の判定結果を報知するようになっている。この抽選が当り（大当り）であったときには、第一大入賞口１７又は第二大入賞口１８を開口させる大当り遊技状態となる。また、この抽選の際には、表示装置２０においても所定の画像表示を行い、抽選及びその結果を報知するようになっている。
【００２８】
また、図２に示すように、転動領域６Ｆ内の所定位置には、遊技球が入賞可能な一般入賞口１９が上方に開口するポケット状に形成されている（本実施の形態では、転動領域６Ｆの左下部に複数の一般入賞口１９が形成されている）。
【００２９】
また、遊技盤６における遊技領域６Ａのほぼ中央部（第一始動入賞口１５の上方）には、図２に示すように、液晶ディスプレイ型の表示装置２０が設けられている。この表示装置２０は、大当り遊技状態を発生させるか否かの判定結果に基づき変動演出表示を行う広い面積の表示画面２０Ａを有している。
【００３０】
また、図２に示すように、この表示装置２０を囲むように前記した枠状のセンター役物１００が配設されている。図３〜図６に示すように、このセンター役物１００には、その下部を覆うように、遊技者側に若干突出するステージ１１０が形成されている。また、このステージ１１０の水平方向における中央部の下部には排出口１１１が設けられており、ステージ１１０の中央部から左右にずれた位置には誘導切欠部１１２が設けられている。そして、遊技球が、後述するワープ通路１２０を通して当該ステージ１１０の上面に至った場合、ステージ１１０上を揺動した後、排出口１１１又は誘導切欠部１１２から下方に落下するようになっている。このうち、遊技球が排出口１１１から下方に落下すると、第一始動入賞口１５に入賞し易い位置に落下するように構成されている。
【００３１】
また、図３〜図６に示すように、センター役物１００の側部（ここでは左側部１０１）の一部には、球通路としてのゲート用球通路２００が配設されている。このゲート用球通路２００は、上部に球入口としてのゲート用球入口２０１が形成されると共に下部に球出口としてのゲート用球出口２０２が形成された通路部２１０を備えており、当該通路部２１０の内部に通過ゲート２１１が配置されている。
【００３２】
そして、遊技球がゲート用球入口２０１から通路部２１０内に入り、通過ゲート２１１を通過すると、当該通過ゲート２１１に設けられたセンサ（図示省略）が遊技球を検知して検知信号を送信し、この検知信号に応じて主制御基板が普通図柄遊技の抽選を行う。この抽選が行われると、図２に示す普通図柄表示装置６Ｊに所定の普通図柄が変動表示され、所定の変動期間を経過した後に停止表示され、普通図柄の当り又は外れの判定結果を報知するようになっている。この抽選の判定結果が当りであったときには、普通図柄当りとなって前記した第二始動入賞口１６の可動片１６Ａが所定時間及び所定回数開放され、遊技球が第二始動入賞口１６に入賞可能な状態（遊技者に有利な状態）となる。なお、遊技球が通過ゲート２１１を通過したことによる普通図柄遊技の抽選の判定結果が外れであったときには、前記した第二始動入賞口１６の可動片１６Ａは開放されず、第二始動入賞口１６に遊技球は入賞できない状態のままである。また、この抽選の際には、表示装置２０においても所定の画像表示を行い、抽選及びその結果を報知するようになっている。なお、このゲート用球通路２００の詳細な構成については後述する。
【００３３】
また、図３〜図６に示すように、センター役物１００の左側部１０１におけるゲート用球通路２００の下方には、転動領域６Ｆを流下している遊技球をステージ１１０に誘導するワープ通路１２０が設けられている。このワープ通路１２０は、センター役物１００の左側部１０１のゲート用球通路２００のゲート用球出口２０２のすぐ下に、ワープ入口１２１が転動領域６Ｆ側である左側を向いて配設されており、センター役物１００の左側部１０１の下部でステージ１１０に繋がる位置にワープ出口１２２が形成されている。
【００３４】
以下、本実施の形態のゲート用球通路２００について、図３〜図７を用いて詳細に説明する。図７は、本実施の形態におけるパチンコ遊技機のゲート用球通路の裏面図である。
【００３５】
このゲート用球通路２００は、図３〜図６に示すように、センター役物１００の左側部１０１におけるワープ通路２００のワープ入口２０１のすぐ上に形成されており、その上部に転動領域６Ｆ側となる左上方を向いたゲート用球入口２０１が形成され、下部に転動領域６Ｆ側となる側方（ここでは左方）を向いたゲート用球出口２０２が形成された通路部２１０を備えている。なお、ゲート用球出口２０２が側方に向いているのは、ゲート用球通路２００が、センター役物１００の左側部１０１、かつ、ワープ通路１２０のワープ入口１２１のすぐ上に配置されており、ゲート用球出口２０２を下方に向けて形成しようとすると、ワープ入口１２１が邪魔になってゲート用球出口２０２自体が形成できない、若しくは、ゲート用球出口２０２が形成できたとしてもゲート用球通路２００のゲート用球出口２０２から放出された遊技球がワープ入口１２１に入り易くなってしまうことを避けるためである。
【００３６】
図７に示すように、このゲート用球通路２００のゲート用球入口２０１とゲート用球出口２０２の間の通路部２１０内には、遊技球Ｐ（図７に図示）の通過を検知するセンサを有する通過ゲート２１１が配置されている。また、通路部２１０内のゲート用球出口２０２の上部には、衝突壁部２１２が略上下方向に延びるように形成されている。この衝突壁部２１２は、ゲート用球入口２０１から通路部２１０内に入った遊技球Ｐが、図７の矢印で示すように、当該通路部２１０内を通過していき、ゲート用球出口２０２から放出される直前に、勢いのある（速度の速い）遊技球Ｐが当たる壁部であり、遊技球Ｐがこの衝突壁部２１２に当たると、その衝撃で所定速度以下に減速され、当該状態で遊技球Ｐがゲート用球出口２０２からセンター役物１００の外側に位置する転動領域６Ｆに放出されるようになっている。
【００３７】
ここで、遊技球Ｐがゲート用球出口２０２から放出される直前の通路部２１０内（すなわち、通路部２１０の下部）は、上段部の第一底面部２１３と下段部の第二底面部２１４との２段構成となっている。そして、衝突壁部２１２は、遊技球Ｐの勢いが強くて、上段部の第一底面部２１３上の遊技球Ｐが第二底面部２１４上に飛び出してもそのまま真横に進むと丁度衝突し、遊技球Ｐの勢いが弱くて、上段部の第一底面部２１３から下段部の第二底面部２１４の形状に沿って遊技球Ｐが進んだときには、衝突しない位置及び大きさに形成されている。
【００３８】
また、前記した第一底面部２１３は、ゲート用球入口２０１から通路部２１０内に入った遊技球Ｐが通過ゲート２１１を通過して略鉛直方向に流下した後に、側方に向いたゲート用球出口２０２に向かって方向転換するときに、遊技球Ｐが衝突することで遊技球Ｐの速度を減速させる底面部となっている。ここでは、第一底面部２１３が、遊技球Ｐの進行方向（略鉛直方向）に対して略垂直方向となる略水平面で構成されていることで、遊技球Ｐの進行方向に進む力を最大限抑えて、その後にゲート用球出口２０２に向かうときの遊技球Ｐの速度を所定速度以下に減速することができるようになっている。
【００３９】
そして、本実施の形態では、衝突壁部２１２と第一底面部２１３とで減速手段を構成している。
【００４０】
さらに、本実施の形態の通路部２１０は、通過ゲート２１１と第一底面部２１３の間に、隔壁部２１５を備えている。この隔壁部２１５は、通過ゲート２１１から遊技球Ｐが略鉛直方向に流下したきたときに当たる位置に形成されており、遊技球Ｐがこの隔壁部２１５に当たることで、遊技球Ｐの横方向の位置が変化するようになっている。ここでは、遊技球Ｐが隔壁部２１５に当たることで、ゲート用球出口２０２に向かう方向とは逆方向（図７における左方向）に遊技球Ｐの横方向の位置を変化させている。このように隔壁部２１５で遊技球Ｐの横方向の位置を変化させることで、万が一遊技球Ｐの勢いが強くて第一底面部２１３で上方に跳ねたとしても、下方から再度通過ゲート２１１を通過してしまう（１つの遊技球Ｐが２回又は３回通過ゲート２１１を通過してしまう）不具合を防止できるようになっている。
【００４１】
このような構成を有するゲート用球通路２００を遊技球Ｐが通過する際には、まず、ゲート用球入口２０１から遊技球Ｐが通路部２１０内に入り、通過ゲート２１１を通過する。これに応じて、主制御基板による普通図柄遊技の抽選を行う。次に、通過ゲート２１１を通過した遊技球Ｐが隔壁部２１５に当たって横方向の位置をゲート用球出口２０２に向かう方向とは逆方向に変化させた後、第一底面部２１３に向かって落下する。ここで、遊技球Ｐが第一底面部２１３に衝突したときの衝撃で、遊技球Ｐの勢いを弱くすることができる。さらに、速度が速い遊技球Ｐは、第一底面部２１３で方向転換してゲート用球出口２０２に向かって横方向に進む際に、第一底面部２１３から飛び出してゲート用球出口２０２の上部に設けられた衝突壁部２１２に衝突して勢いをさらに弱くし、その後に第二底面部２１４に落ち、そのまま所定速度以下の減速された状態でゲート用球出口２０２から転動領域６Ｆに放出される。
【００４２】
次に、本実施の形態の変形例について、図８を用いて説明する。図１０は、本実施の形態におけるパチンコ遊技機のゲート用球通路の変形例の裏面図である。なお、以下の説明以外の箇所については、前記した実施の形態と同様であるため、説明を省略する。
【００４３】
この変形例のゲート用球通路３００は、図８に示すように、ゲート用球入口３０１とゲート用球出口３０２の間の通路部３１０内に、遊技球Ｐの通過を検知するセンサを有する通過ゲート３１１が配置されている。また、通路部３１０内のゲート用球出口３０２の上部には、衝突壁部３１２が略上下方向に延びるように形成されている。この衝突壁部３１２は、ゲート用球入口３０１から通路部３１０内に入った遊技球Ｐが、図８の矢印で示すように、当該通路部３１０内を通過していき、ゲート用球出口３０２から放出される直前に、勢いのある（速度の速い）遊技球Ｐが当たる壁部であり、遊技球Ｐがこの衝突壁部３１２に当たると、その衝撃で所定速度以下に減速され、当該状態で遊技球Ｐがゲート用球出口３０２からセンター役物１００の外側に位置する転動領域６Ｆに放出されるようになっている。
【００４４】
ここで、遊技球Ｐがゲート用球出口３０２から放出される直前の通路部３１０内（すなわち、通路部３１０の下部）は、上段部の第一底面部３１３と下段部の第二底面部３１４との２段構成となっている。そして、衝突壁部３１２は、遊技球Ｐの勢いが強くて、上段部の第一底面部３１３上の遊技球Ｐが第二底面部３１４上に飛び出してもそのまま真横に進むと丁度衝突し、遊技球Ｐの勢いが弱くて、上段部の第一底面部３１３から下段部の第二底面部３１４の形状に沿って遊技球Ｐが進んだときには、衝突しない位置及び大きさに形成されている。
【００４５】
また、本実施の形態の通路部３１０は、通過ゲート３１１と第一底面部３１３の間に、隔壁部３１５を備えている。この隔壁部３１５は、通過ゲート３１１から遊技球Ｐが略鉛直方向に流下したきたときに当たる位置に形成されており、遊技球Ｐがこの隔壁部３１５に当たることで、遊技球Ｐの横方向の位置が変化するようになっている。ここでは、遊技球Ｐが隔壁部３１５に当たることで、ゲート用球出口３０２に向かう方向とは逆方向（図８における左方向）に遊技球Ｐの横方向の位置を変化させている。このように隔壁部３１５で遊技球Ｐの横方向の位置を変化させることで、万が一遊技球Ｐの勢いが強くて第一底面部３１３等で上方に跳ねたとしても、下方から再度通過ゲート３１１を通過してしまう（１つの遊技球Ｐが２回又は３回通過ゲート３１１を通過してしまう）不具合を防止できるようになっている。
【００４６】
さらに、この変形例では、前記した第一底面部３１３のゲート用球出口３０２に向かう方向とは逆方向の斜め上方に、衝突平面部３１６が形成されている。この衝突平面部３１６は、第一底面部３１３に続くように斜めに形成された平面部である。この衝突平面部３１６は、ゲート用球入口３０１から通路部３１０内に入った遊技球Ｐが通過ゲート３１１を通過して略鉛直方向に流下した後に、隔壁部３１５で変化させた方向と略垂直方向となるように配置されており、ここに遊技球Ｐが衝突することで遊技球Ｐの速度を減速させるようになっている。なお、このように衝突平面部３１６を斜めに配置することで、遊技球Ｐの通過する通路の幅（特に方向転換させる位置の幅）を必要以上に広くしないようにすることができ、その結果、例えば２つの遊技球Ｐが通路内で嵌ってしまい、球詰まりを起こすというような不具合を防止することができる。
【００４７】
そして、本実施の形態では、衝突壁部３１２と衝突平面部３１６とで減速手段を構成している。
【００４８】
このような構成を有するゲート用球通路３００を遊技球Ｐが通過する際には、まず、ゲート用球入口３０１から遊技球Ｐが通路部３１０内に入り、通過ゲート３１１を通過する。これに応じて、主制御基板による普通図柄遊技の抽選を行う。次に、通過ゲート３１１を通過した遊技球Ｐが隔壁部３１５に当たって横方向の位置を球出口３０２に向かう方向とは逆方向に変化させた後、衝突平面部３１６に遊技球Ｐを衝突させる。ここで、遊技球Ｐが衝突平面部３１６に衝突したときの衝撃で、遊技球Ｐの勢いを弱くすることができる。その後、勢いが弱くなった遊技球Ｐが、第一底面部３１３に向かって流下する。さらに、速度が速い遊技球Ｐは、第一底面部３１３からゲート用球出口３０２に向かって横方向に進む際に、第一底面部３１３から飛び出してゲート用球出口３０２の上部に設けられた衝突壁部３１２に衝突して勢いをさらに弱くし、その後に第二底面部３１４に落ち、そのまま所定速度以下の減速された状態でゲート用球出口３０２から転動領域６Ｆに放出される。
【００４９】
以上のように、本実施の形態のパチンコ遊技機（弾球遊技機）１は、遊技者側の面に遊技球Ｐが転動可能な転動領域６Ｆを有する遊技板６Ｋと、前記遊技板６Ｋの遊技者側の面に設けられた枠状のセンター役物１００と、前記センター役物１００に設けられ、前記転動領域６Ｆを転動する遊技球Ｐが入球可能なワープ入口１２１を有するワープ通路１２０と、前記センター役物１００の前記ワープ通路１２０よりも上側に設けられ、前記転動領域６Ｆを転動する遊技球Ｐが入球可能なゲート用球入口（球入口）２０１，３０１を有するゲート用球通路（球通路）２００，３００とを備え、前記ゲート用球通路（球通路）２００，３００は、前記ワープ通路１２０のワープ入口１２１よりも上側に位置して前記センター役物１００の側方に開口し、前記ゲート用球通路（球通路）２００，３００を通過する遊技球Ｐを前記センター役物１００の外側の前記転動領域６Ｆに排出するゲート用球出口（球出口）２０２，３０２と、前記ゲート用球通路（球通路）２００，３００を通過する遊技球Ｐを減速させる衝突壁部（減速手段）２１２，３１２と第一底面部（減速手段）２１３又は衝突平面部（減速手段）３１６とを備えたパチンコ遊技機（弾球遊技機）１としたことを特徴とする。
【００５０】
そして、本実施の形態によれば、センター役物１００の左側部（側部）１０１の一部を構成する箇所に設けられた通過ゲート２１１，３１１を有するゲート用球通路（球通路）２００，３００のゲート用球出口（球出口）２０２，３０２が、そのすぐ下に設けられたワープ通路１２０のワープ入口１２１に向かないように側方を向くようにした場合に、当該ゲート用球出口（球出口）２０２，３０２から横向きに放出される遊技球Ｐの勢いを抑えることができる。その結果、上下にゲート用球通路（球通路）２００，３００とワープ通路１２０をセンター役物１００に備えたパチンコ遊技機（弾球遊技機）１において、上側のゲート用球通路（球通路）２００，３００から排出される遊技球Ｐが設計時の想定を超えた挙動で遊技球Ｐが転動することを防止し、遊技に悪影響を及ぼすことを回避することができる。
【００５１】
また、本実施の形態のパチンコ遊技機（弾球遊技機）１は、これに加え、前記ゲート用球通路（球通路）２００，３００は、前記ゲート用球通路（球通路）２００，３００に入球した遊技球Ｐが通過可能な通過ゲート２１１，３１１を備え、前記衝突壁部（減速手段）２１２，３１２と前記第一底面部（減速手段）２１３又は前記衝突平面部（減速手段）３１６は、前記ゲート用球通路（球通路）２００，３００の前記通過ゲート２１１，３１１よりも下流に設けられるパチンコ遊技機（弾球遊技機）１としたことを特徴とする。
【００５２】
そして、本実施の形態によれば、前記衝突壁部（減速手段）２１２，３１２と前記第一底面部（減速手段）２１３又は前記衝突平面部（減速手段）３１６が、ゲート用球通路（球通路）２００，３００における通過ゲート２１１，３１１よりも下流に設けられることで、よりゲート用球出口（球出口）２０２，３０２に近い箇所で遊技球Ｐを減速させることができ、上側の球通路であるゲート用球通路（球通路）２００，３００から排出される遊技球Ｐが遊技に悪影響を及ぼすことをより効果的に回避することができる。
【００５３】
なお、以上説明した実施の形態は、本発明の理解を容易にするために記載されたものであって、本発明を限定するために記載されたものではない。
【００５４】
例えば、前記した実施の形態では、パチンコ遊技機を用いて説明したが、これに限るものではなく、本発明は、雀球遊技機やアレンジボール等の他の弾球遊技機にも適用可能である。
【００５５】
また、前記した実施の形態では、球通路としてのゲート用球通路がセンター役物の左側部の一部を構成し、球通路としてのゲート用球通路の球出口のすぐ下のセンター役物に、ワープ通路のワープ入口が設けられるようになっていたが、これに限るものではない。例えば、球通路がセンター役物の右側部の一部を構成し、その球出口の下に他の球通路の球入口が設けられていても良い。
【００５６】
また、球通路の下に設けられる他の球通路の球入口は、ワープ通路のワープ入口に限るものではなく、入口と出口を有する他の球通路の入口であっても良いし、さらに、大入賞口や可変始動入賞口やその他の入賞口のように遊技領域に出口が設けられていないものの入口であっても良い。
【００５７】
また、前記した実施の形態では、減速手段としての衝突壁部と第一底面部又は衝突平面部は、２つとも通過ゲートの下流側（球出口側）の通路部に設けられていたが、これに限るものではなく、球出口から放出される際の遊技球の勢いを抑えることができれば、減速手段が全て通過ゲートの上流側（球入口側）の通路部に設けられていても良い。また、減速手段が、通過ゲートの上流側（球入口側）と下流側（球出口側）の双方に分かれて設けられていても良い。但し、前記した実施の形態のように、全ての減速手段が球出口に近い通過ゲートの下流側（球出口側）に設けられていた方が、球出口から放出される遊技球の勢いをより確実に抑えられる可能性が高く、好ましい。
【００５８】
また、前記した実施の形態では、減速手段として衝突壁部と第一底面部又は衝突平面部の２つの手段が設けられていたが、これに限るものではない。例えば、減速手段は１つだけ設けられる構成であっても良いし、減速手段が３つ以上設けられる構成であっても良い。
【００５９】
また、前記した実施の形態では、センター役物における上側に球通路、下側に他の球通路が設けられており、下側の他の球通路の存在により、上側の球通路の球出口を側方に向ける必要があるものに対し、当該上側の球通路内に減速手段を設ける場合について説明したが、これに限るものではない。例えば、センター役物に設けられた球通路の下側に、他の球通路以外の構造物（装飾部材等）が設けられていることで、球通路の球出口を側方に向ける必要がある場合に、球通路内に減速手段を設けるようになっていても良い。また、球通路の球出口を側方に向ける要因となる、他の球通路を含む構造物は、センター役物以外のもの、例えば遊技板等に設けられていても良い。
【符号の説明】
【００６０】
１…パチンコ遊技機（弾球遊技機）、６Ｆ…転動領域、６Ｋ…遊技板、１００…センター役物、２００，３００…ゲート用球通路（球通路）、２０１，３０１…ゲート用球入口（球入口）、２０２，３０２…ゲート用球出口（球出口）、２１１，３１１…通過ゲート、２１２，３１２…衝突壁部（減速手段）、２１３…第一底面部（減速手段）、３１６…衝突平面部（減速手段）、Ｐ…遊技球
【図１】
2015039566.tif 000003
【図２】
2015039566.tif 000004
【図３】
2015039566.tif 000005
【図４】
2015039566.tif 000006
【図５】
2015039566.tif 000007
【図６】
2015039566.tif 000008
【図７】
2015039566.tif 000009
【図８】
2015039566.tif 000010